(57)【要約】  【課題】少ない部品点数かつ簡単な構造で安全な綴じ具を形成する。  【解決手段】係止部４１を先端部に有する第１リング要素４と、前記係止部４１に係合可能な被係止部５１を先端部に有する第２リング要素５と、前記第１リング要素４を支持する第１リング要素支持部６１及び前記第２リング要素５を支持する第２リング要素支持部６２を一体に有するリング支持体６とを具備し、前記被係止部５１が前記係止部４１に対して係脱することにより前記第１及び第２リング要素４、５が閉塞状態又は開放状態を形成するものであって、前記リング支持体６が、これら第１及び第２リング要素４、５を開放状態に向けて付勢する付勢手段としての機能を有することを特徴とする綴じ具２を採用する。  【選択図】図７
2006062304.tif 000002
【特許請求の範囲】
【請求項１】
係止部を先端部に有する第１リング要素と、前記係止部に係合可能な被係止部を先端部に有する第２リング要素と、前記第１リング要素を支持する第１リング要素支持部及び前記第２リング要素を支持する第２リング要素支持部を一体に有するリング支持体とを具備し、前記被係止部が前記係止部に対して係脱することにより前記第１及び第２リング要素が閉塞状態又は開放状態を形成するものであって、前記リング支持体が、これら第１及び第２リング要素を開放状態に向けて付勢する付勢手段としての機能を有することを特徴とする綴じ具。
【請求項２】
先端部に係止部を有する第１リング要素と、先端部に前記係止部に係合可能な被係止部を有する第２リング要素と、前記第１リング要素を支持する第１リング要素支持部及び前記第２リング要素を支持する第２リング要素支持部を一体に有するリング支持体と、前記リング支持体と別体をなし前記リング支持体を隠蔽するカバー体とを具備し、前記被係止部が前記係止部に対して係脱することにより前記第１及び第２リング要素が閉塞状態又は開放状態を形成するものであって、前記リング支持体が、これら第１及び第２リング要素を開放状態に向けて付勢する付勢手段としての機能を有することを特徴とする綴じ具。
【請求項３】
前記カバー体に、表紙体に取り付けるための取付部と前記リング支持体を収納する支持体収納空間とを形成しているとともに、前記リング支持体に支持させた第１及び第２リング要素を前記支持体収納空間の外部に向けて通過させることの可能なリング要素挿通孔を前記カバー体に形成していることを特徴とする請求項２記載の綴じ具。
【請求項４】
前記係止部と前記被係止部とが係合し閉塞状態を形成した場合に、前記リング支持体が開放状態に対応する形状に変化する方向への弾性力を前記第１及び第２リング要素に与え、第１及び第２リング要素を開放状態に向けて付勢することを特徴とする請求項１、２又は３記載の綴じ具。
【請求項５】
前記リング支持体が、１枚の金属板ないし樹脂板に対する加工により、前記第１リング要素支持部と、前記第２リング要素支持部と、これら第１リング要素支持部及び第２リング要素支持部を接続する接続部とを一体に形成してなるものであることを特徴とする請求項１、２、３又は４記載の綴じ具。
【請求項６】
前記第１リング要素支持部及び前記第２リング要素支持部の先端部を折り返しその先端が前記第１リング要素支持部及び前記第２リング要素支持部の残りの部分から離間する形状の折り返し部を形成していることを特徴とする請求項５記載の綴じ具。
【請求項７】
前記第１リング要素支持部及び前記第２リング要素支持部に、リング要素の拡開方向に直交する方向に離間する複数の第１リング要素及び複数の第２リング要素を支持させているものであって、前記第１リング要素支持部の第１リング要素間の部位及び前記第２リング要素支持部の第２リング要素間の部位にリング要素の拡開方向に直交する方向に延伸する突条ないし有底の溝部を形成していることを特徴とする請求項５記載の綴じ具。
【請求項８】
前記リング支持体と別体をなし前記リング支持体を隠蔽するカバー体を具備するものであって、リング支持体に、常にカバー体の内側面と当接可能である支持当接片を設けていることを特徴とする請求項１、２、３、４、５、６又は７記載の綴じ具。
【請求項９】
前記第１リング要素支持部及び前記第２リング要素支持部に、リング要素の拡開方向に直交する方向に離間する２つの第１リング要素及び２つの第２リング要素を支持させているものであって、前記係止部及び前記被係止部を鉤形状に形成しているとともに、前記２つの第１リング要素が互いに相寄る方向に引き寄せられた際に、前記リング支持体が前記係止部と前記被係止部との係合を解除し第１及び第２リング要素を開放状態に向けて付勢するようにしていることを特徴とする請求項１、２、３、４、５、６、７又は８記載の綴じ具。
【請求項１０】
先端部に係止部を有する第１リング要素と、先端部に被係止部を有し該被係止部が前記係止部に対して係脱することにより閉塞状態又は開放状態を形成する第２リング要素と、前記第１リング要素を支持する第１リング要素支持部及び前記第２リング要素を支持する第２リング要素支持部を一体に有するリング支持体とを具備し、前記被係止部が前記係止部に対して係脱することにより前記第１及び第２リング要素が閉塞状態又は開放状態を形成するものであって、前記リング支持体が、これら第１及び第２リング要素を開放状態に向けて付勢する付勢手段としての機能を有することを特徴とするファイル。
【請求項１１】
表紙体の一部を利用して前記リング支持体を形成していることを特徴とする請求項１０記載のファイル。
【請求項１２】
表紙体と、この表紙体に取り付けられる綴じ具とを具備し、該綴じ具に、係止部を先端部に有する第１リング要素と、前記係止部に係合可能な被係止部を先端部に有する第２リング要素と、前記第１リング要素を支持する第１リング要素支持部及び前記第２リング要素を支持する第２リング要素支持部を一体に有するリング支持体とを具備し、前記被係止部が前記係止部に対して係脱することにより前記第１及び第２リング要素が閉塞状態又は開放状態を形成するものであって、前記リング支持体が、これら第１及び第２リング要素を開放状態に向けて付勢する付勢手段としての機能を有することを特徴とするファイル。
【請求項１３】
前記リング支持体に、表紙体に取り付けるための取付部を形成していることを特徴とする請求項１２記載のファイル。
【請求項１４】
表紙体と、この表紙体に取り付けられる綴じ具とを具備し、該綴じ具に、先端部に係止部を有する第１リング要素と、先端部に前記係止部に係合可能な被係止部を有する第２リング要素と、前記第１リング要素を支持する第１リング要素支持部及び前記第２リング要素を支持する第２リング要素支持部を一体に有するリング支持体と、前記リング支持体と別体をなし前記リング支持体を隠蔽するカバー体とを具備し、前記被係止部が前記係止部に対して係脱することにより前記第１及び第２リング要素が閉塞状態又は開放状態を形成するものであって、前記リング支持体が、これら第１及び第２リング要素を開放状態に向けて付勢する付勢手段としての機能を有することを特徴とするファイル。
【請求項１５】
前記カバー体に、表紙体に取り付けるための取付部と前記リング支持体を収納する支持体収納空間とを形成しているとともに、前記リング支持体に支持させた第１及び第２リング要素を前記支持体収納空間の外部に向けて通過させることの可能なリング要素挿通孔を前記カバー体に形成していることを特徴とする請求項１４記載のファイル。
【請求項１６】
前記表紙体に前記リング支持体を埋設していることを特徴とする請求項１４記載のファイル。
【請求項１７】
前記リング支持体が、１枚の金属板に対する板金加工により、前記第１リング要素支持部と、前記第２リング要素支持部と、これら第１リング要素支持部及び第２リング要素支持部を接続する接続部とを一体に形成してなるものであることを特徴とする請求項１３、１４、１５又は１６記載のファイル。
【請求項１８】
前記第１リング要素支持部及び前記第２リング要素支持部に、リング要素の拡開方向に直交する方向に離間する複数の第１リング要素及び複数の第２リング要素を支持させているものであって、前記第１リング要素支持部の第１リング要素間の部位及び前記第２リング要素支持部の第２リング要素間の部位にリング要素の拡開方向に直交する方向に延伸する突条ないし有底の溝部を形成していることを特徴とする請求項１７記載のファイル。
【請求項１９】
前記係止部と前記被係止部とが係合し閉塞状態を形成した場合に、前記リング支持体が開放状態に対応する形状に変化する方向への弾性力を前記第１及び第２リング要素に与え、第１及び第２リング要素を開放状態に向けて付勢することを特徴とする請求項１０、１１、１２、１３、１４、１５、１６、１７又は１８記載のファイル。
【請求項２０】
前記第１リング要素支持部及び前記第２リング要素支持部に、リング要素の拡開方向に直交する方向に離間する２つの第１リング要素及び２つの第２リング要素を支持させているものであって、前記係止部及び前記被係止部を鉤形状に形成しているとともに、前記２つの第１リング要素が互いに相寄る方向に引き寄せられた際に、前記リング支持体が前記係止部と前記被係止部との係合を解除し第１及び第２リング要素を開放状態に向けて付勢するようにしていることを特徴とする請求項１０、１１、１２、１３、１４、１５、１６、１７又は１８記載のファイル。
【発明の詳細な説明】
【技術分野】
【０００１】
本発明は、書類等を綴じるための綴じ具及びその綴じ具が適用されるファイルに関する。
【背景技術】
【０００２】
従来より、書類を綴じるためのファイルやバインダ等に用いられる綴じ具が、種々案出されている。このような綴じ具のうち、いわゆるリング式綴じ具と呼ばれるものは、中央横断面図を図１３に示すように、カバーａ１と、カバーａ１とは別体の部材である第１連結部ａ２及び第２連結部ａ３とからなるベースａと、相互に対をなす第１リング要素ｂ及び第２リング要素ｃとから構成されているのが通例である。このような綴じ具ｔの構成として、例えば、ベースａには、第１リング要素ｂ及び第２リング要素ｃの係り合いを解除する方向にのみ作用力を付与するための開放手段となるコイルバネａ４、板バネ、又は線状バネ等を設け、第１リング要素ｂ及び第２リング要素ｃとに相互に開放状態とする方向のみ作用力を蓄積するように構成したものが考えられている（例えば特許文献１参照）。すなわちコイルバネａ４等の開放手段は、第１連結板ａ２及び第２連結板ａ３を山形の姿勢とし、第１リング要素ｂと第２リング要素ｃとを開放状態とするように力を付与すべく設けられたものである。なお、前記特許文献１では、第１リング要素及び第２リング要素は、それぞれ第１綴じ要素及び第２綴じ要素として記載されている。
【特許文献１】特開２００３−２５１９７３号公報
【発明の開示】
【発明が解決しようとする課題】
【０００３】
しかし、上述した特許文献１の構成では、第１リング要素ｂ及び第２リング要素ｃとに相互に開放状態とする方向のみ作用力を蓄積するようにする手段として、コイルバネａ４、板バネ、又は線状バネ等を設ける必要がある。すなわち、第１連結部ａ２及び第２連結部ａ３にそれぞれコイルバネａ４等を接続する必要があり、部品点数を多く要するとともに、コイルバネａ４等を収納する空間を設ける必要があるので設計の自由度が低下する。
【０００４】
本発明は、上記問題を解決すべく、すなわち部品点数及び製造工数を削減し、設計の自由度の向上を図るべく構成するものである。
【課題を解決するための手段】
【０００５】
すなわち本発明に係る綴じ具の一つは、係止部を先端部に有する第１リング要素と、前記係止部に係合可能な被係止部を先端部に有する第２リング要素と、前記第１リング要素を支持する第１リング要素支持部及び前記第２リング要素を支持する第２リング要素支持部を一体に有するリング支持体とを具備し、前記被係止部が前記係止部に対して係脱することにより前記第１及び第２リング要素が閉塞状態又は開放状態を形成するものであって、前記リング支持体が、これら第１及び第２リング要素を開放状態に向けて付勢する付勢手段としての機能を有することを特徴とする。
【０００６】
また、本発明に係る綴じ具の他の一つは、先端部に係止部を有する第１リング要素と、先端部に前記係止部に係合可能な被係止部を有する第２リング要素と、前記第１リング要素を支持する第１リング要素支持部及び前記第２リング要素を支持する第２リング要素支持部を一体に有するリング支持体と、前記リング支持体と別体をなし前記リング支持体を隠蔽するカバー体とを具備し、前記被係止部が前記係止部に対して係脱することにより前記第１及び第２リング要素が閉塞状態又は開放状態を形成するものであって、前記リング支持体が、これら第１及び第２リング要素を開放状態に向けて付勢する付勢手段としての機能を有することを特徴とする。
【０００７】
これらのようなものであれば、前記リング支持体が、これら第１及び第２リング要素を単に支持するだけでなく、これらを開放状態に向けて付勢する付勢手段としての機能を兼ね備えているので、少ない部品点数かつ簡単な構造で安全な綴じ具を形成できる。また、後者の構成においては、カバー体とリング支持体とが別体であるとともに、カバー体でなくリング支持体が第１及び第２リング要素を開放状態に向けて付勢するので、カバー体の材質やデザインの設計の自由度を高めることができる。
【０００８】
このような綴じ具をファイルの表紙体に取り付ける場合において、綴じ具のカバー体により該綴じ具のリング支持体を隠蔽できるようにするための具体的な構成の一例として、前記カバー体に、表紙体に取り付けるための取付部と前記リング支持体を収納する支持体収納空間とを形成しているとともに、前記リング支持体に支持させた第１及び第２リング要素を前記支持体収納空間の外部に向けて通過させることの可能なリング要素挿通孔を前記カバー体に形成しているものが挙げられる。
【０００９】
リング支持体の構成を簡単なものにできる態様として、前記係止部と前記被係止部とが係合し閉塞状態を形成した場合に、前記リング支持体が開放状態に対応する形状に変化する方向への弾性力を前記第１及び第２リング要素に与え、第１及び第２リング要素を開放状態に向けて付勢するものが挙げられる。このように構成すれば、リング支持体自体の弾性力を利用して第１及び第２リング要素を開放状態に向けて付勢できるからである。
【００１０】
このようなリング支持体を少ない手間で形成できる態様として、前記リング支持体が、１枚の金属板ないし樹脂板に対する加工により、前記第１リング要素支持部と、前記第２リング要素支持部と、これら第１リング要素支持部及び第２リング要素支持部を接続する接続部とを一体に形成してなるものが挙げられる。
【００１１】
特に、前記第１リング要素支持部及び前記第２リング要素支持部の先端部を折り返しその先端が前記第１リング要素支持部及び前記第２リング要素支持部の残りの部分から離間する形状の折り返し部を形成しているものしているものであれば、このようなリング支持体の第１リング要素支持部及び第２リング要素支持部に、簡単な加工により対折り曲げ強度を付与することができる。
【００１２】
また、前記第１リング要素支持部及び前記第２リング要素支持部に、リング要素の拡開方向に直交する方向に離間する複数の第１リング要素及び複数の第２リング要素を支持させているものであって、前記第１リング要素支持部の第１リング要素間の部位及び前記第２リング要素支持部の第２リング要素間の部位にリング要素の拡開方向に直交する方向に延伸する突条ないし有底の溝部を形成しているものであっても、このようなリング支持体の第１リング要素支持部及び第２リング要素支持部に、簡単な加工により対折り曲げ強度を付与することができる。
【００１３】
また、前記リング支持体と別体をなし前記リング支持体を隠蔽するカバー体を具備するものであって、リング支持体が弾性変形可能なものであれば、弾性変形に伴いリング支持体とカバー体の内側面との間にわずかな隙間が生じうるが、リング支持体に、常にカバー体の内側面と当接可能である支持当接片を設けているものであれば、前記支持当接片が常にカバー体の内側面と当接することにより、カバー体とリング支持体とのがたつきを防ぐことができる。
【００１４】
このような綴じ具の第１及び第２リング要素を開放状態に変化させる操作を簡単に行えるようにするための構成として、前記第１リング要素支持部及び前記第２リング要素支持部に、リング要素の拡開方向に直交する方向に離間する２つの第１リング要素及び２つの第２リング要素を支持させているものであって、前記係止部及び前記被係止部を鉤形状に形成しているとともに、前記２つの第１リング要素が互いに相寄る方向に引き寄せられた際に、前記リング支持体が前記係止部と前記被係止部との係合を解除し第１及び第２リング要素を開放状態に向けて付勢するようにしているものが挙げられる。
【００１５】
一方、少ない部品点数かつ簡単な構造で紙葉類を綴じる機能を実現できるファイルとして、先端部に係止部を有する第１リング要素と、先端部に被係止部を有し該被係止部が前記係止部に対して係脱することにより閉塞状態又は開放状態を形成する第２リング要素と、前記第１リング要素を支持する第１リング要素支持部及び前記第２リング要素を支持する第２リング要素支持部を一体に有するリング支持体とを具備し、前記被係止部が前記係止部に対して係脱することにより前記第１及び第２リング要素が閉塞状態又は開放状態を形成するものであって、前記リング支持体が、これら第１及び第２リング要素を開放状態に向けて付勢する付勢手段としての機能を有することを特徴とするものが挙げられる。
【００１６】
このようなものであれば、リング支持体が第１及び第２のリング要素を開放状態に向けて付勢する機能を兼ね備えていることにより、他に特別な部材を用いることなく簡単な操作で安全に第１及び第２のリング要素を閉塞状態から開放状態にできる構造を実現可能だからである。
【００１７】
さらに少ない部品点数でこのようなファイルを実現できる態様として、表紙体の一部を利用して前記リング支持体を形成しているものや、前記リング支持体に、表紙体に取り付けるための取付部を形成しているものが挙げられる。
【００１８】
そして、このようなファイルにおいて、前記表紙体に前記リング支持体を埋設しているものであれば、該表紙体が上述のカバー体と同様にリング支持体を隠蔽する機能を有するので、少ない部品点数でこのようなファイルの外観を整えることができる。
【発明の効果】
【００１９】
本発明に係る綴じ具及びファイルは、リング支持体が単に第１及び第２リング要素を支持するだけでなく、これらを開放状態に向けて付勢する機能を兼ね備えているので、他に特別な部材を用いることなく簡単な操作で安全にリング要素を閉塞状態から開放状態にできる構造を実現可能であり、従って少ない部品点数かつ簡単な構造で紙葉類を綴じる機能を実現できる。
【発明を実施するための最良の形態】
【００２０】
以下、本発明の第１実施形態を、図面を参照して説明する。
【００２１】
本実施形態に係る綴じ具２は、図１に斜視図を示すようなファイルＦに主に用いられる。
【００２２】
このファイルＦは、綴じ穴を設けた書類等をその内側に綴じ込むことにより、書類等を整理・保管するために使用されるものであって、背表紙１１、表表紙１２及び裏表紙１３を備えた表紙体１と、裏表紙１３の内面にリベットＬを介して装着された前記綴じ具２とから構成したものである。
【００２３】
この綴じ具２は、表紙体１に取り付けられるカバー体たるカバー部３と、書類等に設けた綴じ穴を挿通する第１リング要素４、４と、この第１リング要素４、４と対をなして設けられ同じく書類等に設けた綴じ穴を挿通する第２リング要素５、５と、これら第１リング要素４、４及び第２リング要素５、５を支持するリング支持体６とを有する。前記第１リング要素４、４及び第２リング要素５、５は、前記リング支持体６と閉リングを形成する閉塞状態と、これら第１リング要素４、４及び第２リング要素５、５が離間する開放状態との間を変化可能である。前記閉塞状態においては、図２に斜視図、図３に平面図、図４に前記図３におけるａ−ａ断面図がそれぞれ示されるような形状をとる。一方、前記開放状態においては、図５に斜視図、図６に平面図、図７に前記図６におけるａ−ａ断面図がそれぞれ示されるような形状をとる。なお、本実施形態では綴じ具２を裏表紙１３に取り付けた態様を示しているが、斯かる綴じ具２は背表紙１１や表表紙１２に取り付けて使用することができるのはいうまでもない。また、前記図３及び図６においては、カバー部３は想像線により示している。さらに、前記図７には、閉塞状態における状態を想像線により示している。
【００２４】
具体的には、カバー部３は、特に限定されるものではないが例えば薄肉のスチール材ないしステンレス材からなり、図８に示すように、下方（裏表紙１３側）へ開口した状態で裏表紙１３に取り付けられるものである。このカバー部３の上壁３ｇは、中央部が最大高さとなる湾曲形状をした細長い形状としており、この上壁３ｇの長手方向の両端部は半円弧状で形成されており後述する取付面部３ａの一部を切り欠いた形状としている。そして、前記カバー部３の上壁３ｇの長手方向の両端部は、裏表紙１３に当接して取り付けられる一対の段押しされた取付面部３ａ、３ａを形成し、この取付面部３ａ、３ａの面内略中央部には、前記リベットＬを挿通させるためのリベット穴３ｂ、３ｂを各々１つずつ形成している。また、前記カバー部３の上壁３ｇの両側端部には、長手方向に亘って内側方に折り曲げられる一対の突片３ｃ、３ｃを折り曲げ線（図示省略）を境に連続して形成しており、これら突片３ｃ、３ｃを内側方に向けて略水平に折り曲げている。さらに、前記カバー部３の上壁３ｇの一側端部には、第１リング要素４を通過させるための一対の第１スロット穴３ｄ、３ｄが所定距離を離間させて形成し、また、他方の側端部には、前記第１スロット穴３ｄ、３ｄに対応付けて第２リング要素５を通過させるための一対の第２スロット穴３ｅ、３ｅを形成している。そして、本実施形態ではこのカバー部３の内部空間、すなわち前記上壁３ｇと前記表紙体１との間の空間３ｓに前記リング支持体６を配置し、このリング支持体６を隠蔽するようにしている。なお、前記第１スロット穴３ｄ、３ｄ及び前記第２スロット穴３ｅ、３ｅは、請求項中のリング要素挿通孔としての機能を有する。なお、図８の（ａ）にはカバー部３の平面図、同図の（ｂ）にはカバー部３の側面図、同図の（ｃ）には同図の（ａ）におけるｘ−ｘ断面図、同図の（ｄ）にはカバー部３の正面図、同図の（ｅ）には同図の（ａ）におけるｙ−ｙ断面図をそれぞれ示している。
【００２５】
前記リング支持体６は、本実施形態では、図９に示すように、板状をなし第１リング要素４、４を支持する第１リング要素支持部６１と、板状をなし第２リング要素５、５を支持する第２リング要素支持部６２と、これら第１リング要素支持部６１及び第２リング要素支持部６２を接続する接続部６３とを、１枚の金属板に対する板金加工により一体に形成している。さらに詳述すると、１枚の金属板の巾寸法両端部をそれぞれ同一方向に折り返して前記第１リング要素支持部６１及び第２リング要素支持部６２を形成しているとともに、残りの部分を接続部６３として形成している。また、本実施形態では、前記第１リング要素支持部６１及び第２リング要素支持部６２の長手寸法を前記接続部６３の長手寸法よりも大きくしていて、前記接続部６３は前記第１リング要素支持部６１及び第２リング要素支持部６２の長手寸法中央部を接続するようにし、前記第１リング要素支持部６１の長手寸法両端部には前記第１リング要素４を挿通させる第１リング要素取付孔６１ａ、６１ａを設けているとともに、前記第２リング要素支持部６２の長手寸法両端部には前記第２リング要素５を挿通させる第２リング要素取付孔６２ａ、６２ａを設けている。そして、本実施形態では前記接続部６３の下面を前記カバー部３の突片３ｃの内側面に当接させ、このリング支持体６が前記カバー部３の内側面を越えて幅方向へ移動することを規制している。また、本実施形態では、特に第１リング要素４と第２リング要素５とが閉塞状態のときは、第１リング要素支持部６１と第２リング要素支持部６２とが互いに接近しあうように弾性変形させられるため、リング支持体６の接続部６３とカバー部３の内側面との間にわずかな隙間が生じうるが、この隙間に由来するカバー部３と支持体６とのがたつきを解消すべく、リング支持体６に切り込み６４ａを介して上記弾性変形の影響を受けない支持当接片６４を設け、この支持当接片６４が常にカバー部３の内側面、具体的には上壁３ｇの側端部３ｇ１の内面と当接できる構成を採用している。さらに本実施形態では、前記第１リング要素支持部６１の第１リング要素取付孔６１ａ、６１ａ間の部位、及び前記第２リング要素支持部６２の第２リング要素取付孔６２ａ、６２ａ間の部位に、対折り曲げ強度を付与すべく溝部６１ｍ、６２ｍを形成している。そして本実施形態では、対折り曲げ強度をさらに付与すべく、前記第１リング要素支持部６１の先端部及び前記第２リング要素支持部６２の先端部を折り返し、その先端が前記第１リング要素支持部６１及び前記第２リング要素支持部６２の残りの部分である本体からそれぞれ離間する形状の折り返し部６１ｃ、６２ｃを形成している。
【００２６】
前記第１リング要素４、４は、正面視半円弧状をなし、基端部を前記第１リング要素支持部６１の第１リング要素取付孔６１ａ、６１ａに挿通させ、かしめ加工により前記第１リング要素支持部６１に固定している。そして、前記第１スロット穴３ｄ、３ｄを通過して上方に突出している。
【００２７】
一方、前記第２リング要素５は、正面視逆Ｌ字状をなし、基端部を前記第２リング要素支持部６２の第２リング要素取付孔６２ａ、６２ａに挿通させ、かしめ加工により前記第２リング要素支持部６２に固定している。そして、前記第２スロット穴３ｅ，３ｅを通過して上方に突出している。
【００２８】
前記第１リング要素４、４は前記第１スロット穴３ｄ、３ｄを越えてリングの拡開方向に直交する方向、すなわちリング支持体６の長手方向に移動不可能であり、また、前記第２リング要素５は前記第２スロット穴３ｅ、３ｅを越えてリングの拡開方向に直交する方向、すなわちリング支持体６の長手方向に移動不可能である。すなわち、これら第１リング要素４、４、及び第２リング要素５、５は、前記第１スロット穴３ｄ、３ｄ及び前記第２スロット穴３ｅ、３ｅとともにこれらを取り付けたリング支持体６の長手方向への移動を規制する移動規制手段として機能する。
【００２９】
しかして本実施形態では、前記第１リング要素４、４の先端部に、鉤形状をなす係止部４１、４１をそれぞれ設けているとともに、前記第２リング要素５、５の先端部には、前記係止部４１、４１の鉤形状に係合可能な形状の鉤形状をなす被係止部５１、５１をそれぞれ設け、これらを相互に係脱可能に構成しているとともに、前記リング支持体６がこれら第１リング要素４及び第２リング要素５を開放状態に向けて付勢している。なお、本実施形態では、２つの前記係止部４１、４１は互いに離反させて配置している一方、２つの前記被係止部５１、５１は互いに対向させて配置している。
【００３０】
そして、前記リング支持体６に前記第１リング要素４、４及び前記第２リング要素５、５を取り付け、前記係止部４１、４１と前記被係止部５１、５１とを係合させると、前記リング支持体６は弾性変形し、弾性力により前記係止部４１、４１と前記被係止部５１、５１とを離間させるべく作用する。すなわち、前記リング支持体６は前記第１リング要素４、４及び前記第２リング要素５、５を開放状態側に付勢する弾性付勢手段として機能する。それぞれ鉤形状をなす係止部４１、４１と被係止部５１、５１とが係合しているときは、図７の想像線で示しているように、前記第１リング要素支持部６１の先端と前記第２リング要素支持部６２の先端とが近接し、第１リング要素４、４及び第２リング要素５、５を開放状態側に付勢する弾性付勢力を、図９（ｄ）の接続部６３と、前記第１リング要素支持部６１及び前記第２リング要素支持部６２とでそれぞれ形成される折曲げ部６１ｂ、６２ｂに常に蓄積している。そのため、前記作用は前記弾性付勢力に抗してこれら係止部４１、４１と被係止部５１、５１とを確実に係合させる作用として働く。
【００３１】
この綴じ具２を閉塞状態から開放状態に変化させるには、前記第１リング要素４、４を互いに相寄る方向に操作力を加え、前記係止部４１、４１と前記被係止部５１、５１との係合を解除させるとよい。すると、前記リング支持体６の弾性変形状態が解除され、前記図７の実線に示す形状から想像線に示す形状に変化する。すなわち、前記リング支持体６が前記第１リング要素４、４及び前記第２リング要素５、５を開放状態に向けて付勢し、前記第１リング要素支持部６１の先端と前記第２リング要素支持部６２の先端とが離間する。そして、前記第１リング要素支持部６１に支持された前記第１リング要素４、４と前記第２リング要素支持部６２に支持された前記第２リング要素５、５ともまた離間して開放状態となる。
【００３２】
逆に、この綴じ具２を開放状態から閉塞状態に変化させるには、前記第１リング要素４、４と前記第２リング要素５、５とを、前記リング支持体６からの弾性力に抗して前記係止部４１、４１と前記被係止部５１、５１とが係合するまで相寄る方向に移動させるとよい。このとき、前記第１リング要素支持部６１の先端と前記第２リング要素支持部６２の先端とが接近して、前記リング支持体６は前記図６の実線に示す形状から想像線に示す形状に弾性変形する。そして、この弾性変形に伴い、前記第１リング要素４、４と前記第２リング要素５、５とに、これらを離間させる方向への弾性力が与えられる。
【００３３】
本実施形態に係る綴じ具２は、以上に述べたように、リング支持体６が第１のリング要素４、４及び第２のリング要素５、５を支持する機能と、これらを開放状態に向けて付勢する機能を兼ね備えているので、少ない部品点数かつ簡単な構造で安全な綴じ具を形成できる。また、カバー部３とリング支持体６とが別体であるとともに、カバー部３でなくリング支持体６が第１のリング要素４、４及び第２のリング要素５、５を開放状態に向けて付勢するので、カバー部３の材質やデザインの設計の自由度を高めることができる。
【００３４】
前記リング支持体６が、板状をなし第１リング要素４、４を支持する第１リング要素支持部６１と、板状をなし第２リング要素５、５を支持する第２リング要素支持部６２と、これら第１リング要素支持部６１及び第２リング要素支持部６２を接続する接続部６３とを一体に有するので、このようなリング支持体６の構成を簡単なものにできる。
【００３５】
さらに、前記リング支持体６の前記第１リング要素支持部６１、前記第２リング要素支持部６２、及び前記接続部６３が、１枚の金属板に対する板金加工により形成されているので、このようなリング支持体６を少ない手間で形成できる。
【００３６】
そして、前記リング支持体６が、弾性変形に伴う弾性力により第１のリング要素４、４及び第２のリング要素５、５を開放状態に向けて付勢するようにしているので、簡単な構成及び少ない手間によりこのようなリング支持体６にリング要素を開放状態に向けて付勢する機能を与えることができる。
【００３７】
なお、本発明は以上に述べた実施の形態に限られない。
【００３８】
例えば、上述した実施形態におけるカバー部３を省略し、その代わりに前記リング支持体６を表紙体１に直接固設してもよい。すなわち、前記リング支持体６に取付部を形成し、該取付部を介してリング支持体を表紙体に直接取り付けるようにしてもよい。
【００３９】
また、上述した実施形態におけるリング支持体６に代えて、図１０に示すように、１枚の金属板を略Ｍ字状に折り曲げ、一側端部を第１リング要素支持部６０１、他側端部を第２リング要素支持部６０２、幅方向中央部を接続部６０３として形成しているとともに、前記第１リング要素支持部６０１に第１リング要素取付孔６０１ａ、６０１ａ及び溝部６０１ｍ、前記第２リング要素支持部６０２に第２リング要素取付孔６０２ａ、６０２ａ及び溝部６０２ｍをそれぞれ有するリング支持体６０を採用してもよい。なお、前記図１０において、（ａ）は平面図、（ｂ）は正面図、（ｃ）は（ａ）におけるｘ−ｘ階段断面図である。なお、図１０に示すリング支持体６０においては、接続部６０３は長手寸法に離間して間欠的に設けているが、第１リング要素支持部６０１及び第２リング要素支持部６０２の長手寸法の略全域にわたって接続部を設けても、もちろんよい。
【００４０】
さらに、リング支持体は、金属製でなくてもよく、例えば樹脂製のものやゴム製のものなど、他の素材を利用して形成してもよい。その際、１枚の樹脂板に対する加工、又は単一の金型を用いた押出し成形等の加工により、第１リング要素支持部と、第２リング要素支持部と、これら第１リング要素支持部及び第２リング要素支持部を接続する接続部とを一体に形成してなるとともに、弾性により第１及び第２リング要素を開放状態に向けて付勢する付勢手段としての機能を有するものとするとよい。
【００４１】
そして、リング支持体に、弾性変形の影響を受けない支持当接片を、他の部分との間に切り込みを設けずに形成するようにしてもよい。
【００４２】
加えて、上述した実施形態における主な効果を得ることができるファイルとして、例えば背表紙１０１、表表紙１０２、及び裏表紙１０３を樹脂により一体に成形した表紙体１０を有する中央横断面図を図１１に示すようなファイルにおいて、背表紙１０１を平面視Ｍ字状に形成し、背表紙１０１の両側端部に第１リング要素４を支持する第１リング要素支持部１０１１及び第２リング要素５を支持する第２リング要素支持部１０１２をそれぞれ形成したものが考えられる。なお、このような表紙体１０においては、前記図１１に示すように、背表紙１０１の背面を外部から隠蔽して見栄えを整えるべく背表紙カバー１０４を背表紙１０１の外方に設けるとよい。
【００４３】
また、図１２に中央横断面図を示すように、背表紙１０１、表表紙１０２、及び裏表紙１０３を樹脂により一体に成形した表紙体１０と、背表紙１０１の外方に設けられる背表紙カバー１０４と、前記背表紙１０１と前記背表紙カバー１０４との間に形成される空間１０ｓと、前記図１０に示したようなリング支持体６０、該リング支持体６０に支持されてなる第１リング要素４、及び前記該リング支持体６０に支持されてなる第２リング要素５を有する綴じ具２０とを有するファイルにおいて、前記リング支持体６０を前記空間１０ｓ内に配置してなる構成も考えられる。この構成において、表紙体１０には、前記第１リング要素４を通過させるための一対の第１スロット穴１０ａ、１０ａ、及び前記第２リング要素４を通過させるための一対の第１スロット穴１０ｂ、１０ｂを設けている。
【００４４】
そして、上述した実施形態のように第１リング要素と第２リング要素とリング支持体とをそれぞれ別体に形成したもの以外に、第１リング要素と第２リング要素とリング支持体とを、同一材料により一体に形成したものであってもよく、また、これら３つの要素のうち２つを同一材料により一体に形成したものであってもよい。
【００４５】
その他、本発明の趣旨を損ねない範囲で種々に変形してよい。
【図面の簡単な説明】
【００４６】
【図１】本発明の一実施形態に係る綴じ具を採用したファイルを示す概略図。
【図２】同実施形態に係る綴じ具の閉塞状態を示す斜視図。
【図３】同実施形態に係る綴じ具の閉塞状態を示す平面図。
【図４】図３におけるａ−ａ断面図。
【図５】同実施形態に係る綴じ具の開放状態を示す斜視図。
【図６】同実施形態に係る綴じ具の開放状態を示す平面図。
【図７】図６におけるａ−ａ断面図。
【図８】同実施形態に係る綴じ具のカバー部を示す図。
【図９】同実施形態に係る綴じ具のリング支持体を示す図。
【図１０】本発明の他の実施形態に係る綴じ具のリング支持体を示す図。
【図１１】本発明の他の実施形態に係る綴じ具を示す中央横断面図。
【図１２】本発明の他の実施形態に係る綴じ具を示す中央横断面図。
【図１３】従来の綴じ具を示す中央横断面図。
【符号の説明】
【００４７】
１…表紙体
２…綴じ具
３…カバー部（カバー体）
３ｄ…第１スロット穴（リング要素挿通孔）
３ｅ…第２スロット穴（リング要素挿通孔）
４…第１リング要素
４１…係止部
５…第２リング要素
５１…被係止部
６、６０…リング支持体
６１、６０１…前記第１リング要素支持部
６２、６０２…前記第２リング要素支持部
６３、６０３…接続部
【図１】
2006062304.tif 000003
【図２】
2006062304.tif 000004
【図３】
2006062304.tif 000005
【図４】
2006062304.tif 000006
【図５】
2006062304.tif 000007
【図６】
2006062304.tif 000008
【図７】
2006062304.tif 000009
【図８】
2006062304.tif 000010
【図９】
2006062304.tif 000011
【図１０】
2006062304.tif 000012
【図１１】
2006062304.tif 000013
【図１２】
2006062304.tif 000014
【図１３】
2006062304.tif 000015